(57)【要約】【課題】ベースプレートとともにモータ６またはアクチュエータ等の起振源要素を含む収容物を収容する装置の筐体２をなすトップカバー４において、騒音を効果的に低減させることができるとともに、ネジ差込み孔１１から筐体２内に埃等の異物が侵入するのを防止することができ、もって装置の誤作動を防止することができるトップカバー４を提供する。【解決手段】収容物を当該トップカバー４に固定するための固定ネジ９を差し込むネジ差込み孔１１を有し、このネジ差込み孔１１の周縁部に、当該トップカバー４と収容物および固定ネジ９との間に介装される制振用弾性体３１を設ける構成とした。制振用弾性体３１は、ベースプレートおよびトップカバー４間をシールするガスケットと同じ材料を用いて、トップカバー４に一体成形するのが好適である。【選択図】  図４
2004164738.tif 000002
【特許請求の範囲】
【請求項１】
ベースプレートとともにモータまたはアクチュエータ等の起振源要素を含む収容物を収容する装置の筐体をなすトップカバーにおいて、
前記収容物を当該トップカバーに固定するための固定ネジを差し込むネジ差込み孔を有し、前記ネジ差込み孔の周縁部に、当該トップカバーと前記収容物および固定ネジとの間に介装される制振用弾性体を設けたことを特徴とするトップカバー。
【請求項２】
請求項１のトップカバーにおいて、
制振用弾性体が、ベースプレートと当該トップカバーとの間をシールするガスケットと同じ材料を用いて、当該トップカバーに一体成形されていることを特徴とするトップカバー。
【請求項３】
請求項１または２のトップカバーにおいて、
起振源要素が、ディスクドライブ装置における磁気ディスクを回転させるスピンドルモータであり、固定ネジで当該トップカバーに固定される収容物が、前記スピンドルモータの回転を支持する軸部であることを特徴とするトップカバー。
【請求項４】
請求項１または２のトップカバーにおいて、
起振源要素が、ディスクドライブ装置における磁気ヘッドを揺動させるアクチュエータであり、固定ネジで当該トップカバーに固定される収容物が、前記アクチュエータの揺動を支持する軸部であることを特徴とするトップカバー。
【発明の詳細な説明】
【０００１】
【発明の属する技術分野】
本発明は、ハードディスクドライブに代表されるディスクドライブ装置等に用いられるトップカバーに関するものである。また本発明のトップカバーは、磁気記憶装置のトップカバー、電機・電子機器筐体のトップカバー等として用いられるものである。
【０００２】
【従来の技術】
例えば、コンピュータのデータ記憶手段として広く一般に用いられるハードディスクドライブ（ＨＤＤ）は、記録媒体である磁気ディスクをスピンドルモータで駆動し、磁気ディスクへのデータの書込みや呼出しを磁気ヘッドで行ない、磁気ヘッドをボイスコイルモータ等を駆動源とするアクチュエータで駆動する構造を有し、更にこれらの構成部品を、ベースプレートおよびトップカバーの組み合わせよりなる筐体の内部に収容する構造を有している。
【０００３】
近年、コンピュータの処理能力の向上やハードディスクの記憶容量の増大に伴ってディスクの回転速度やアクチュエータの動作速度も高速化の傾向にあり、これによって、これらディスクやアクチュエータの振動がトップカバーに伝わることによって発生する騒音も今まで以上に問題となっている。これに対して本願発明者は先に、トップカバーの振動を抑え騒音を低減させるべくトップカバーに制振鋼板を用いる技術を開発しており（特許文献１参照）、この先行技術によれば制振鋼板が発揮する制振作用によって有効に振動を抑え騒音を低減させることができる。しかしながら制振鋼板は、これ自体が複数の鋼板の間に弾性体を挟み込んだものであるために、その製作に多くの手間がかかり、コストが高いという不都合がある。
【０００４】
また一方で、ＨＤＤの外気からの密閉性の問題もある。すなわちトップカバーには、上記構成部品をこのトップカバーに固定するための固定ネジを差し込むネジ差込み孔が設けられており、ＨＤＤ組立後、ネジ差込み孔の周縁部とこれに差し込んだ固定ネジとの間には微小ながら隙間が存在している。したがってＨＤＤは厳密にいうと組立後においても筐体内外が連通した状態とされるが、ＨＤＤは微小な埃によっても誤作動を起こす可能性があるため、外気すらも侵入しないように筐体を完全に密閉する必要がある。このため従来は、トップカバーの外面に粘着シールを貼り付けることによって上記隙間を閉塞するという対策をとっているが、この対策によると、シール貼着作業を手作業で行なわなければならないために、作業に多くの手間がかかる不都合がある。また、粘着シールは貼着後、比較的簡単に剥がれしまうため、埃の侵入を許容し、最終的にはＨＤＤの誤作動を発生させる虞がある。
【０００５】
また、従来、防振用のダンパーを有するディスクドライブ装置として特開２００２−１２４０７２号公報に掲載されたものが知られているが（特許文献２参照）、この公報に記載されたダンパーはトップカバーではなく反対側のベースプレートの裏面に配置されるものであり、また、本発明のように弾性体の制振作用を利用するものではない。
【０００６】
また、従来、防音防振用のプレートをスピンドルモータの回転軸およびアクチュエータのピボット軸上に設けたトップカバーとして特開平１１−３２８９４５号公報に掲載されたものが知られているが（特許文献３参照）、この公報に記載された防音防振用プレートは回転軸やピボット軸と同じ材質であり望ましくはステンレス鋼製とされているために、本発明のように弾性体の吸振作動による優れた制振作用や、弾性体の密着性による優れたシール作用（筐体密閉性）を期待することができない。
【０００７】
【特許文献１】
特開２０００−４９４７１号公報
【特許文献２】
特開２００２−１２４０７２号公報
【特許文献３】
特開平１１−３２８９４５号公報
【０００８】
【発明が解決しようとする課題】
本発明は以上の点に鑑みて、騒音を効果的に低減させることができるとともにネジ差込み孔から筐体内に埃等の異物が侵入するのを防止することができ、もって装置の誤作動を防止することができるトップカバーを提供することを目的とする。
【０００９】
【課題を解決するための手段】
上記目的を達成するため、本発明の請求項１によるトップカバーは、ベースプレートとともにモータまたはアクチュエータ等の起振源要素を含む収容物を収容する装置の筐体をなすトップカバーにおいて、前記収容物を当該トップカバーに固定するための固定ネジを差し込むネジ差込み孔を有し、前記ネジ差込み孔の周縁部に、当該トップカバーと前記収容物および固定ネジとの間に介装される制振用弾性体を設けたことを特徴とするものである。
【００１０】
また、本発明の請求項２によるトップカバーは、上記した請求項１のトップカバーにおいて、制振用弾性体が、ベースプレートと当該トップカバーとの間をシールするガスケットと同じ材料を用いて、当該トップカバーに一体成形されていることを特徴とするものである。
【００１１】
また、本発明の請求項３によるトップカバーは、上記した請求項１または２のトップカバーにおいて、起振源要素が、ディスクドライブ装置における磁気ディスクを回転させるスピンドルモータであり、固定ネジで当該トップカバーに固定される収容物が、前記スピンドルモータの回転を支持する軸部であることを特徴とするものである。
【００１２】
また、本発明の請求項４によるトップカバーは、上記した請求項１または２のトップカバーにおいて、起振源要素が、ディスクドライブ装置における磁気ヘッドを揺動させるアクチュエータであり、固定ネジで当該トップカバーに固定される収容物が、前記アクチュエータの揺動を支持する軸部であることを特徴とするものである。
【００１３】
上記構成を備えた本発明の請求項１によるトップカバーにおいては、トップカバーに設けたネジ差込み孔の周縁部にトップカバーと収容物および固定ネジとの間に介装される制振用弾性体が設けられているために、この制振用弾性体が介在することによって、起振源要素からトップカバーへの振動の伝播を抑制することが可能となり、併せて、この弾性体によってネジ差込み孔の周縁部とこれに差し込まれる固定ネジ間の隙間を閉塞することが可能となる。
【００１４】
本発明で用いる弾性体としては、振動減衰特性に優れた粘弾性体を用いるのが好適であり、例えばフッ素ゴム（ＦＫＭ）、アクリロニトリルブタジエンゴム（ＮＢＲ）、スチレンブタジエンゴム（ＳＢＲ）、ブチルゴム（ＩＩＲ）、天然ゴム（ＮＲ）、エチレンプロピレンゴム（ＥＰＭ，ＥＰＤＭ）、クロロプレンゴム（ＣＲ）、ブタジエンゴム（ＢＲ）、イソプレンゴム（ＩＲ）、アクリルゴム（ＡＣＭ）、シリコンゴム（ＶＭＱ）もしくはウレタンゴム（Ｕ）等のゴム材または熱可塑性エラストマー等が有効である。
【００１５】
また、この弾性体のトップカバーへの固定構造ないし固定方法は特に限定されないが、請求項２に記載したように、この弾性体が、ベースプレートおよびトップカバー間をシールするガスケットと同じ材料を用いて、トップカバーに一体成形されるものであると、トップカバーへのガスケットの一体成形と弾性体の一体成形とを同時に行なうことが可能となる。
【００１６】
起振源は例えば、ディスクドライブ装置における磁気ディスクを回転させるためのスピンドルモータであり、多くの場合、このスピンドルモータはその回転を軸部によって支持される。したがってこの場合は、この軸部がトップカバーにネジ止めされるので、この軸部固定用のネジの差込み孔に弾性体が設けられることになる（請求項３）。
【００１７】
また、起振源は例えば、ディスクドライブ装置における磁気ヘッドを揺動させるための揺動アクチュエータであり、多くの場合、このアクチュエータはその揺動を軸部によって支持される。したがってこの場合は、この軸部がトップカバーにネジ止めされるので、この軸部固定用のネジの差込み孔に弾性体が設けられることになる（請求項４）。
【００１８】
【発明の実施の形態】
つぎに本発明の実施例を図面にしたがって説明する。
【００１９】
第一実施例・・・
図１は、本発明の第一実施例に係るトップカバーを組み付けたＨＤＤの概略断面を示している。
【００２０】
ＨＤＤは、上記したように記録媒体である磁気ディスクをスピンドルモータで駆動し、磁気ディスクへのデータの書込みや呼出しを磁気ヘッドで行ない、磁気ヘッドをボイスコイルモータ等を駆動源とするアクチュエータで駆動する構造を有し、更にこれらの構成部品（収容物）を、ベースプレートおよびトップカバーの組み合わせよりなる筐体の内部に収容する構造を有しており、図１はこれらのうち、スピンドルモータの回転枢着部を示している。
【００２１】
すなわち、符号３はベースプレート、符号４はトップカバーであって、これらの組み合わせによってＨＤＤ１の筐体２が形成されており、この筐体２の内部に磁気ディスク５を回転させるためのスピンドルモータ６が他の構成部品とともに収容されている。
【００２２】
このスピンドルモータ６は、ベアリング７を介して軸部８に回転自在に取り付けられており、この軸部８を中心として回転するように構成されている。
【００２３】
上記軸部８は、その下端部８ａをベースプレート３側に固定されるとともにその上端部８ｂを固定ネジ９によってトップカバー４に固定されている。
【００２４】
ステンレスまたはアルミニウム等の金属板よりなるトップカバー４には、ネジ位置に合わせて、筐体２の内側へ凹んだ凹部１０が設けられており、この凹部１０の底面部位に、固定ネジ９を差し込むためのネジ差込み孔１１が設けられている。したがってＨＤＤ１を組み立てる際には、トップカバー４の外側から固定ネジ９をネジ差込み孔１１に差し込んで、軸部８の上端部８ｂ端面に設けた雌ネジ孔１２に螺合することになる。
【００２５】
上記トップカバー４に対する軸部８の固定は、上記したように固定ネジ９による取付けであるため、固定後、軸部８がトップカバー４に直接接触する構造であると、スピンドルモータ６にその作動時に発生する振動が軸部８を介してトップカバー４に伝播される虞がある。また、固定ネジ９がトップカバー４に接触するために、スピンドルモータ６に発生する振動が軸部８および固定ネジ９を介してトップカバー４に伝播される虞がある。更にまた、ネジ差込み孔１１の周縁部とこれに差し込まれた固定ネジ９との間に微小な隙間（図示せず）が形成されるため、外部からこの隙間を介して筐体２の内部へ埃等の異物が侵入する虞がある。
【００２６】
これらに対して、当該トップカバー４には、以下のような制振およびシール構造が設けられている。
【００２７】
すなわち、トップカバー４に設けたネジ差込み孔１１の周縁部に制振用弾性体３１が取り付けられており、この弾性体３１が軸部８およびトップカバー４間ならびに固定ネジ９およびトップカバー４間にそれぞれ介装されている。
【００２８】
この弾性体３１は、上記したフッ素ゴム等のゴム材または熱可塑性エラストマー等よりなる粘弾性体によって成形されており、図２に拡大して示すように、固定ネジ９の雄ネジ部９ａおよびトップカバー４間に介装される円筒部３１ａと、軸部８およびトップカバー４間に介装される内側フランジ部３１ｂと、固定ネジ９の頭部９ｂおよびトップカバー４間に介装される外側フランジ部３１ｃとを一体に有しており、半裁断面略コ字形に形成されている。
【００２９】
したがって、上記制振およびシール構造を設けたトップカバー４によれば、弾性体３１が軸部８およびトップカバー４間ならびに固定ネジ９およびトップカバー４間にそれぞれ介装されているために、この弾性体３１が発揮する制振作用によって、スピンドルモータ６に発生する振動が軸部８を介してまたは軸部８および固定ネジ９を介してトップカバー４に伝播されるのを抑えることができる。したがってトップカバー４に発生する騒音を低減させることができる。
【００３０】
また、上記弾性体３１によって、ネジ差込み孔１１の周縁部とこれに差し込まれた固定ネジ９の間の隙間が閉塞されているために、外部からこの隙間を介して筐体２内部へ埃等の異物が侵入するのを抑えることができる。したがって異物の侵入を原因とするＨＤＤ１の誤作動の発生を防止することができる。
【００３１】
尚、上記弾性体３１のトップカバー４への取付構造ないし取付方法は特に限定されないが、この弾性体３１を、ベースプレート３およびトップカバー４間をシールするガスケット（トップカバーガスケット、図示せず）と同じ材料を用いてトップカバー４に一体成形することにすると、トップカバー４へのガスケットの一体成形と弾性体３１の一体成形とを同時に行なうことが可能となり、成形工程上、都合が良い。この場合、具体的には、ガスケット成形用キャビティ空間とともに弾性体成形用キャビティ空間を設けた金型にカバー４を挿入し、この状態でガスケットおよび弾性体３１を同時に成形し、成形と同時に両者をカバー４に接着することになる。ガスケットは、カバー４の周縁部に全周に亙って設けられてベースプレート３に密接するものである。
【００３２】
第二実施例・・・
図３は、本発明の第二実施例に係るトップカバーを組み付けたＨＤＤの要部概略断面を示している。
【００３３】
ＨＤＤは、上記したように記録媒体である磁気ディスクをスピンドルモータで駆動し、磁気ディスクへのデータの書込みや呼出しを磁気ヘッドで行ない、磁気ヘッドをボイスコイルモータ等を駆動源とするアクチュエータで駆動する構造を有し、更にこれらの構成部品（収容物）を、ベースプレートおよびトップカバーの組み合わせよりなる筐体の内部に収容する構造を有しており、図３はこれらのうち、アクチュエータの揺動枢着部を示している。
【００３４】
すなわち、符号３はベースプレート、符号４はトップカバーであって、これらの組み合わせによってＨＤＤ１の筐体２が形成されており、この筐体２の内部に磁気ヘッド（図示せず）を揺動させるためのアクチュエータ１３が他の構成部品とともに収容されている。
【００３５】
このアクチュエータ１３は、その長手方向（図上左右方向）の中央部をピボット１４に取り付けられてこのピボット１４の軸部１５を中心として揺動するように構成されており、このアクチュエータ１３の図示しない左端部に磁気ヘッドが設けられるとともに、ピボット１４の図上右側に位置して、揺動動作の駆動源であるボイスコイルモータ１６が設けられている。
【００３６】
上記ピボット１４の軸部１５は、その下端部１５ａを、ベースプレート３の内面に設けた環状ボス１７の中央凹部１８に配置されて位置決めされるとともに、その上端部１５ｂを固定ネジ１９によってトップカバー４に固定されている。
【００３７】
ステンレスまたはアルミニウム等の金属板よりなるトップカバー４には、ネジ位置に合わせて、筐体２の内側へ凹んだ凹部２０が設けられており、この凹部２０の底面部位に、固定ネジ１９を差し込むためのネジ差込み孔２１が設けられている。したがってＨＤＤ１を組み立てる際には、トップカバー４の外側から固定ネジ１９をネジ差込み孔２１に差し込んで、軸部１５の上端部１５ｂ端面に設けた雌ネジ孔２２に螺合することになる。
【００３８】
上記トップカバー４に対する軸部１５の固定は、上記したように固定ネジ１９による取付けであるため、固定後、軸部１５がトップカバー４に直接接触する構造であると、モータ１６等を備えたアクチュエータ１３にその作動時に発生する振動がピボット１４および軸部１５を介してトップカバー４に伝播される虞がある。また、固定ネジ１９がトップカバー４に接触するため、アクチュエータ１３に発生する振動がピボット１４、軸部１５および固定ネジ１９を介してトップカバー４に伝播される虞がある。更にまた、ネジ差込み孔２１の周縁部とこれに差し込まれた固定ネジ１９との間に微小な隙間（図示せず）が形成されるため、外部からこの隙間を介して筐体２の内部へ埃等の異物が侵入する虞がある。
【００３９】
これらに対して、当該トップカバー４には、以下のような制振およびシール構造が設けられている。
【００４０】
すなわち、トップカバー４に設けたネジ差込み孔２１の周縁部に制振用弾性体３１が取り付けられており、この弾性体３１が軸部１５およびトップカバー４間ならびに固定ネジ１９およびトップカバー４間にそれぞれ介装されている。
【００４１】
この弾性体３１は、上記したフッ素ゴム等のゴム材または熱可塑性エラストマー等よりなる粘弾性体によって成形されており、図４に拡大して示すように、固定ネジ１９の雄ネジ部１９ａおよびトップカバー４間に介装される円筒部３１ａと、軸部１５およびトップカバー４間に介装される内側フランジ部３１ｂと、固定ネジ１９の頭部１９ｂおよびトップカバー４間に介装される外側フランジ部３１ｃとを一体に有しており、半裁断面略コ字形に形成されている。
【００４２】
したがって、上記制振およびシール構造を設けたトップカバー４によれば、弾性体３１が軸部１５およびトップカバー４間ならびに固定ネジ１９およびトップカバー４間にそれぞれ介装されているために、この弾性体３１が発揮する制振作用によって、モータ１６等を備えたアクチュエータ１３に発生する振動がピボット１４および軸部１５を介してまたはピボット１４、軸部１５および固定ネジ１９を介してトップカバー４に伝播されるのを抑えることができる。したがってトップカバー４に発生する騒音を低減させることができる。
【００４３】
また、上記弾性体３１によって、ネジ差込み孔２１の周縁部とこれに差し込まれた固定ネジ１９の間の隙間が閉塞されているために、外部からこの隙間を介して筐体２内部へ埃等の異物が侵入するのを抑えることができる。したがって異物の侵入を原因とするＨＤＤ１の誤作動の発生を防止することができる。
【００４４】
尚、上記弾性体３１のトップカバー４への取付構造ないし取付方法は特に限定されないが、この弾性体３１を、ベースプレート３およびトップカバー４間をシールするガスケット（トップカバーガスケット、図示せず）と同じ材料を用いてトップカバー４に一体成形することにすると、トップカバー４へのガスケットの一体成形と弾性体３１の一体成形とを同時に行なうことが可能となり、成形工程上、都合が良い。この場合、具体的には、ガスケット成形用キャビティ空間とともに弾性体成形用キャビティ空間を設けた金型にカバー４を挿入し、この状態でガスケットおよび弾性体３１を同時に成形し、成形と同時に両者をカバー４に接着することになる。ガスケットは、カバー４の周縁部に全周に亙って設けられてベースプレート３に密接するものである。
【００４５】
【発明の効果】
本発明は、以下の効果を奏する。
【００４６】
すなわち先ず、上記構成を備えた本発明の請求項１によるトップカバーにおいては、トップカバーに設けたネジ差込み孔の周縁部にトップカバーと収容物および固定ネジとの間に介装される制振用弾性体が設けられているために、この弾性体が発揮する制振作用によって、筐体内の起振源要素からトップカバーへと振動が伝播するのを抑えることが可能とされている。したがって、トップカバーに発生する騒音を有効に低減させることができる。
【００４７】
また、上記弾性体によって、ネジ差込み孔の周縁部とこれに差し込まれる固定ネジとの間の隙間が閉塞されるために、外部からこの隙間を介して筐体内部へ埃等の異物が侵入するのを抑えることが可能とされている。したがって、異物の侵入を原因とする装置の誤作動の発生を防止することができる。
【００４８】
またこれに加えて、上記構成を備えた本発明の請求項２によるトップカバーにおいては、弾性体がガスケットと同じ材料を用いてトップカバーに一体成形されているために、トップカバーへのガスケットの一体成形とトップカバーへの弾性体の一体成形とを同時に行なうことが可能とされている。したがって、成形工程を効率良く行なうことができる。また、従来行なわれていたシールを手作業で貼るという煩雑な作業を省略することができ、この点からも作業を効率化することができる。
【００４９】
また、本発明の請求項３によるトップカバーによれば、起振源要素がディスクドライブ装置における磁気ディスクを回転させるためのスピンドルモータとされ、固定ネジでトップカバーに固定される収容物がスピンドルモータの回転を支持する軸部とされているために、スピンドルモータの作動時に発生する振動を有効に低減させることができる。したがって、スピンドルモータを備えたディスクドライブ装置の静粛性および筐体密閉性を向上させることができる。
【００５０】
また、本発明の請求項４によるトップカバーによれば、起振源要素がディスクドライブ装置における磁気ヘッドを揺動させるためのアクチュエータとされ、固定ネジでトップカバーに固定される収容物がアクチュエータの揺動を支持する軸部とされているために、アクチュエータの作動時に発生する振動を有効に低減させることができる。したがって、アクチュエータを備えたディスクドライブ装置の静粛性および筐体密閉性を向上させることができる。
【図面の簡単な説明】
【図１】本発明の第一実施例に係るトップカバーを組み付けたＨＤＤの概略断面図
【図２】図１の要部拡大断面図
【図３】本発明の第二実施例に係るトップカバーを組み付けたＨＤＤの要部概略断面図
【図４】図３の要部拡大断面図
【符号の説明】
１  ＨＤＤ
２  筐体
３  ベースプレート
４  トップカバー
５  磁気ディスク
６  スピンドルモータ
７  ベアリング
８，１５  軸部
８ａ，１５ａ  下端部
８ｂ，１５ｂ  上端部
９，１９  固定ネジ
９ａ，１９ａ  雄ネジ部
９ｂ，１９ｂ  頭部
１０，２０  凹部
１１，２１  ネジ差込み孔
１２，２２  雌ネジ孔
１３  アクチュエータ
１４  ピボット
１６  ボイスコイルモータ
１７  環状ボス
１８  中央凹部
３１  制振用弾性体
３１ａ  円筒部
３１ｂ  内側フランジ部
３１ｃ  外側フランジ部
【図１】
2004164738.tif 000003
【図２】
2004164738.tif 000004
【図３】
2004164738.tif 000005
【図４】
2004164738.tif 000006